(57)【要約】【課題】スケジューリング対象の移動局ＵＥの切り替え時に、現在のスケジューリング対象の移動局ＵＥ＃１における「Ｚｅｒｏ  Ｇｒａｎｔ」の受信誤りの可能性を低減させる。【解決手段】本発明に係る無線基地局ＮｏｄｅＢにおいて、ＡＧ送信部１２は、次のスケジューリング区間が開始する前に、現在のスケジューリング区間におけるスケジューリング対象の第１移動局ＵＥ＃１に対して、複数回、同一の「Ｚｅｒｏ  Ｇｒａｎｔ」を送信するように構成されている。【選択図】図３
2010259018.tif 000002
【特許請求の範囲】
【請求項１】
移動局が、受信したスケジューリング許可情報に対応する高速上り通信用個別データチャネルと一般上り通信用個別制御チャネルとの間の送信電力比に基づいて、該高速上り通信用個別データチャネルを介して送信する上りデータの送信電力を決定するように構成されている移動通信システムで用いられる無線基地局であって、
各スケジューリング区間における高速上り通信のスケジューリング対象の移動局を１つだけ決定し、該高速上り通信のスケジューリング対象の移動局に対して送信すべきスケジューリング許可情報を決定するように構成されているスケジューリング部と、
高速上り通信のスケジューリング対象の移動局を切り替える際に、現在のスケジューリング区間における高速上り通信のスケジューリング対象の第１移動局に対して、次のスケジューリング区間において上りデータの送信を停止するように指示する第１スケジューリング許可情報を送信し、該次のスケジューリング区間における高速上り通信のスケジューリング対象の第２移動局に対して、前記スケジューリング部によって決定された第２スケジューリング許可情報を送信するように構成されているスケジューリング許可情報送信部とを具備し、
前記スケジューリング許可情報送信部は、前記次のスケジューリング区間が開始する前に、前記第１移動局に対して、複数回、同一の前記第１スケジューリング許可情報を送信するように構成されていることを特徴とする無線基地局。
【請求項２】
前記スケジューリング区間は、１つ又は複数の時間スロットによって構成されており、
前記スケジューリング許可情報送信部は、連続する複数の時間スロットにおいて、前記第１移動局に対して、前記第１スケジューリング許可情報を送信するように構成されていることを特徴とする請求項１に記載の無線基地局。
【請求項３】
前記スケジューリング許可情報送信部は、前記次のスケジューリング区間を開始する際又は開始した後に、前記第２移動局に対して、複数回、同一の前記第２スケジューリング許可情報を送信するように構成されていることを特徴とする請求項１又は２に記載の無線基地局。
【発明の詳細な説明】
【技術分野】
【０００１】
本発明は、無線基地局に関する。
【背景技術】
【０００２】
「Ｔｉｍｅ  ＆  Ｒａｔｅ」方式のＥＵＬ（Ｅｎｈａｎｃｅｄ  Ｕｐｌｉｎｋ）通信では、各スケジューリング区間におけるスケジューリング対象の移動局ＵＥは、１つであり、無線基地局ＮｏｄｅＢが、現在のスケジューリング区間におけるスケジューリング対象の移動局ＵＥ＃１に対して、Ｅ-ＡＧＣＨ（Ｅ-ＤＣＨ  Ａｂｓｏｌｕｔｅ  Ｇｒａｎｔ  Ｃｈａｎｎｅｌ）を介して、次のスケジューリング区間において上りデータの送信を停止するように指示する「Ｚｅｒｏ  Ｇｒａｎｔ」を送信し、次のスケジューリング区間におけるスケジューリング対象の移動局ＵＥ＃２に対して、Ｅ-ＡＧＣＨを介して、所定のＡＧ（Ａｂｓｏｌｕｔｅ  Ｇｒａｎｔ）を送信することによって、スケジューリング対象の移動局を切り替えることができる。
【先行技術文献】
【特許文献】
【０００３】
【特許文献１】特開２００８-５４１５９６号公報
【発明の概要】
【発明が解決しようとする課題】
【０００４】
しかしながら、かかる「Ｔｉｍｅ  ＆  Ｒａｔｅ」方式のＥＵＬ通信において、移動局ＵＥが、現在のスケジューリング区間におけるスケジューリング対象の移動局ＵＥ＃１が、「Ｚｅｒｏ  Ｇｒａｎｔ」の受信に失敗すると、以下の問題点が発生する。
【０００５】
第１に、次のスケジューリング区間が開始された後は、スケジューリング対象の移動局ＵＥが、移動局ＵＥ＃２に遷移しているため、無線基地局ＮｏｄｅＢは、移動局ＵＥ＃１に対して、「Ｚｅｒｏ  Ｇｒａｎｔ」を送信することができないという問題点が発生する。
【０００６】
ここで、ＥＵＬ通信では、各ＴＴＩ（Ｔｒａｎｓｍｉｓｓｉｏｎ  Ｔｉｍｅ  Ｉｎｔｅｒｖａｌ、時間スロット）において、１種類のＡＧしか送信することができない。
【０００７】
第２に、移動局ＵＥ＃１は、次のスケジューリング区間が開始された後も、上りデータの送信を継続し、かかる上りデータは、無線基地局ＮｏｄｅＢにおいて全て上り干渉となり、本来のスケジューリング対象の移動局ＵＥ＃２における上り伝送速度を高速にすることができなくなるという問題点が発生する。
【０００８】
第３に、上述のような状態が、移動局ＵＥ＃１が、再度、スケジューリング対象の移動局ＵＥとなるまで継続するという問題点があった。
【０００９】
そこで、本発明は、上述の課題に鑑みてなされたものであり、スケジューリング対象の移動局ＵＥの切り替え時に、現在のスケジューリング対象の移動局ＵＥ＃１における「Ｚｅｒｏ  Ｇｒａｎｔ」の受信誤りの可能性を低減させることができる無線基地局を提供することを目的とする。
【課題を解決するための手段】
【００１０】
本発明の第１の特徴は、移動局が、受信したスケジューリング許可情報に対応する高速上り通信用個別データチャネルと一般上り通信用個別制御チャネルとの間の送信電力比に基づいて、該高速上り通信用個別データチャネルを介して送信する上りデータの送信電力を決定するように構成されている移動通信システムで用いられる無線基地局であって、各スケジューリング区間における高速上り通信のスケジューリング対象の移動局を１つだけ決定し、該高速上り通信のスケジューリング対象の移動局に対して送信すべきスケジューリング許可情報を決定するように構成されているスケジューリング部と、高速上り通信のスケジューリング対象の移動局を切り替える際に、現在のスケジューリング区間における高速上り通信のスケジューリング対象の第１移動局に対して、次のスケジューリング区間において上りデータの送信を停止するように指示する第１スケジューリング許可情報を送信し、該次のスケジューリング区間における高速上り通信のスケジューリング対象の第２移動局に対して、前記スケジューリング部によって決定された第２スケジューリング許可情報を送信するように構成されているスケジューリング許可情報送信部とを具備し、前記スケジューリング許可情報送信部は、前記次のスケジューリング区間が開始する前に、前記第１移動局に対して、複数回、同一の前記第１スケジューリング許可情報を送信するように構成されていることを要旨とする。
【発明の効果】
【００１１】
以上説明したように、本発明によれば、スケジューリング対象の移動局ＵＥの切り替え時に、現在のスケジューリング対象の移動局ＵＥ＃１における「Ｚｅｒｏ  Ｇｒａｎｔ」の受信誤りの可能性を低減させることができる無線基地局を提供することができる。
【図面の簡単な説明】
【００１２】
【図１】本発明の第１の実施形態に係る移動通信システムの全体構成図である。
【図２】本発明の第１の実施形態に係る無線基地局の機能ブロック図である。
【図３】本発明の第１の実施形態に係る無線基地局によるスケジューリング処理について説明するための図である。
【図４】本発明の第１の実施形態に係る無線基地局によるスケジューリング処理について説明するための図である。
【発明を実施するための形態】
【００１３】
（本発明の第１の実施形態に係る移動通信システム）
図１を参照して、本発明の第１の実施形態に係る移動通信システムについて説明する。
【００１４】
図１に示すように、本実施形態に係る移動通信システムは、無線基地局ＮｏｄｅＢと、移動局ＵＥとを具備している。本実施形態に係る移動通信システムでは、「Ｔｉｍｅ  ＆  Ｒａｔｅ」方式のＥＵＬ通信（高速上り通信）が行われるように構成されている。
【００１５】
本実施形態に係る移動通信システムでは、移動局ＵＥは、例えば、Ｅ-ＤＰＤＣＨ（Ｅ-ＤＣＨ  Ｄｅｄｉｃａｔｅｄ  Ｐｈｙｓｉｃａｌ  Ｄａｔａ  Ｃｈａｎｎｅｌ、高速上り通信用個別データチャネル）を介して、高速通信用の上りデータを送信し、Ｅ-ＤＰＣＣＨ（Ｅ-ＤＣＨ  Ｄｅｄｉｃａｔｅｄ  Ｐｈｙｓｉｃａｌ  Ｃｏｎｔｒｏｌ  Ｃｈａｎｎｅｌ）を介して、高速通信用の制御信号を送信し、ＤＰＣＣＨ（Ｄｅｄｉｃａｔｅｄ  Ｐｈｙｓｉｃａｌ  Ｃｏｎｔｒｏｌ  Ｃｈａｎｎｅｌ、一般上り通信用個別制御チャネル）を介して、一般通信用の制御信号を送信するように構成されている。
【００１６】
また、本実施形態に係る移動通信システムでは、無線基地局ＮｏｄｅＢは、例えば、Ｅ-ＡＧＣＨを介して、ＡＧ（スケジューリング許可情報）を送信するように構成されている。
【００１７】
ここで、移動局ＵＥは、無線基地局ＮｏｄｅＢから受信したＡＧに対応するＥ-ＤＰＤＣＨ（高速上り通信用個別データチャネル）とＤＰＣＣＨ（一般上り通信用個別制御チャネル）との間の送信電力比に基づいて、Ｅ-ＤＰＤＣＨを介して送信する上りデータ（ＭＡＣ-ｅ  ＰＤＵ）の送信電力を決定するように構成されている。
【００１８】
図２に示すように、無線基地局ＮｏｄｅＢは、スケジューリング部１１と、ＡＧ送信部１２とを具備している。
【００１９】
スケジューリング部１１は、各スケジューリング区間におけるＥＵＬ通信のスケジューリング対象の移動局ＵＥ及び当該移動局ＵＥに対して送信すべきＡＧを決定するように構成されている。
【００２０】
ここで、各スケジューリング区間は、１つ又は複数のＴＴＩによって構成されている。
【００２１】
また、「Ｔｉｍｅ  ＆  Ｒａｔｅ」方式のＥＵＬ通信が行われている場合、スケジューリング部１１は、各スケジューリング区間におけるＥＵＬ通信のスケジューリング対象の移動局ＵＥを１つだけ決定し、当該ＥＵＬ通信のスケジューリング対象の移動局ＵＥに対して送信すべきＡＧを決定するように構成されている。
【００２２】
ＡＧ送信部１２は、各スケジューリング区間におけるスケジューリング対象の移動局ＵＥに対して、スケジューリング部１１によって決定されたＡＧを送信するように構成されている。
【００２３】
「Ｔｉｍｅ  ＆  Ｒａｔｅ」方式のＥＵＬ通信が行われている場合、例えば、図３に示すように、ＡＧ送信部１２は、ＥＵＬ通信のスケジューリング対象の移動局ＵＥを切り替える際に、現在のスケジューリング区間におけるＥＵＬ通信のスケジューリング対象の移動局ＵＥ＃１（第１移動局）に対して、次のスケジューリング区間において上りデータの送信を停止するように指示する「Ｚｅｒｏ  Ｇｒａｎｔ（第１スケジューリング許可情報）」を送信し、次のスケジューリング区間におけるＥＵＬ通信のスケジューリング対象の移動局ＵＥ＃２（第２移動局）に対して、スケジューリング部１１によって決定された「ＡＧ（第２スケジューリング許可情報）」を送信するように構成されている。
【００２４】
ここで、図３に示すように、ＡＧ送信部１２は、次のスケジューリング区間（ｔ２からｔ３の区間）が開始する前に、移動局ＵＥ＃１に対して、複数回、同一の「Ｚｅｒｏ  Ｇｒａｎｔ」を送信するように構成されている。
【００２５】
また、ＡＧ送信部１２は、連続する複数のＴＴＩにおいて、移動局ＵＥ＃１に対して、「Ｚｅｒｏ  Ｇｒａｎｔ」を送信するように構成されていてもよい。
【００２６】
さらに、ＡＧ送信部１２は、次のスケジューリング区間を開始する際、移動局ＵＥ＃２に対して、複数回、同一のＡＧを送信するように構成されていてもよい。
【００２７】
なお、ＡＧ送信部１２は、次のスケジューリング区間が開始した後に、移動局ＵＥ＃２に対して、複数回、同一のＡＧを送信するように構成されていてもよい。
【００２８】
本発明の第１の実施形態に係る移動通信システムによれば、「Ｔｉｍｅ  ＆  Ｒａｔｅ」方式のＥＵＬ通信が行われている場合、無線基地局ＮｏｄｅＢは、現在のスケジューリング区間におけるスケジューリング対象の移動局ＵＥ＃１が、スケジューリング対象の移動局ＵＥでなくなる前に、複数回、同一の「Ｚｅｒｏ  Ｇｒａｎｔ」を送信するように構成されているため、かかる移動局ＵＥ＃１において「Ｚｅｒｏ  Ｇｒａｎｔ」の受信に失敗する確率を低減することができる。
【００２９】
なお、「Ｔｉｍｅ  ＆  Ｒａｔｅ」方式のＥＵＬ通信以外のＥＵＬ通信が行われている場合、図４に示すように、１つのスケジューリング割当区間において、複数の移動局ＵＥ＃１乃至ＵＥ＃３が、スケジューリング対象の移動局ＵＥとなることができるため、各移動局ＵＥ＃１乃至ＵＥ＃３において、「Ｚｅｒｏ  Ｇｒａｎｔ」の受信に失敗した場合であっても、無線基地局ＮｏｄｅＢは、「Ｚｅｒｏ  Ｇｒａｎｔ」を再送することによって、各移動局ＵＥ＃１乃至ＵＥ＃３における上りデータの送信を停止することができる。
【００３０】
したがって、かかるＥＵＬ通信が行われている場合には、各移動局ＵＥ＃１乃至＃３において「Ｚｅｒｏ  Ｇｒａｎｔ」の受信に失敗したことに起因する問題点は、あまり問題にならない。
【００３１】
以上に述べた本実施形態の特徴は、以下のように表現されていてもよい。
【００３２】
本実施形態の第１の特徴は、移動局ＵＥが、受信したＡＧ（スケジューリング許可情報）に対応するＥ-ＤＰＤＣＨ（高速上り通信用個別データチャネル）とＤＰＣＣＨ（一般上り通信用個別制御チャネル）との間の送信電力比に基づいて、Ｅ-ＤＰＤＣＨを介して送信する上りデータ（ＭＡＣ-ｅ  ＰＤＵ）の送信電力を決定するように構成されている移動通信システムで用いられる無線基地局ＮｏｄｅＢであって、各スケジューリング区間におけるＥＵＬ通信（高速上り通信）のスケジューリング対象の移動局ＵＥを１つだけ決定し、ＥＵＬ通信のスケジューリング対象の移動局ＵＥに対して送信すべきＡＧを決定するように構成されているスケジューリング部１１と、ＥＵＬ通信のスケジューリング対象の移動局ＵＥを切り替える際に、現在のスケジューリング区間におけるＥＵＬ通信のスケジューリング対象の第１移動局ＵＥ＃１に対して、次のスケジューリング区間において上りデータの送信を停止するように指示する「Ｚｅｒｏ  Ｇｒａｎｔ（第１スケジューリング許可情報）」を送信し、次のスケジューリング区間におけるＥＵＬ通信のスケジューリング対象の第２移動局ＵＥ＃２に対して、スケジューリング部１１によって決定された「ＡＧ（第２スケジューリング許可情報）」を送信するように構成されているＡＧ送信部１２とを具備し、ＡＧ送信部１２は、次のスケジューリング区間が開始する前に、第１移動局ＵＥ＃１に対して、複数回、同一の「Ｚｅｒｏ  Ｇｒａｎｔ」を送信するように構成されていることを要旨とする。
【００３３】
本実施形態の第１の特徴において、スケジューリング区間は、１つ又は複数のＴＴＩ（時間スロット）によって構成されており、ＡＧ送信部１２は、連続する複数のＴＴＩにおいて、第１移動局ＵＥ＃１に対して、「Ｚｅｒｏ  Ｇｒａｎｔ」を送信するように構成されていてもよい。
【００３４】
本実施形態の第１の特徴において、ＡＧ送信部１２は、次のスケジューリング区間を開始する際又は開始した後に、第２移動局ＵＥ＃２に対して、複数回、同一のＡＧを送信するように構成されていてもよい。
【００３５】
なお、上述の無線基地局ＮｏｄｅＢ及び移動局ＵＥの動作は、ハードウェアによって実施されてもよいし、プロセッサによって実行されるソフトウェアモジュールによって実施されてもよいし、両者の組み合わせによって実施されてもよい。
【００３６】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００３７】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ＮｏｄｅＢ及び移動局ＵＥ内に設けられていてもよい。また、かかる記憶媒体及びプロセッサは、ディスクリートコンポーネントとして無線基地局ＮｏｄｅＢ及び移動局ＵＥ内に設けられていてもよい。
【００３８】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００３９】
ＲＮＣ…無線回線制御局
１１…ＲＬＣレイヤ機能部
１２…監視部
１３…輻輳信号送信部
ＢＴＳ…無線基地局
２１…輻輳信号受信部
２２…上限値管理部
２３…スケジューリング部
２４…ＡＧ送信部
【図１】
2010259018.tif 000003
【図２】
2010259018.tif 000004
【図３】
2010259018.tif 000005
【図４】
2010259018.tif 000006